(57)【特許請求の範囲】
【請求項１】
記録媒体から映像・オーディオデータを再生する再生装置において、
複数のプログラムに対応する映像・オーディオデータが圧縮されて多重化された多重化データを再生する再生手段と、
ディジタル放送の受信装置と互いに映像・オーディオデータをやり取りするためのインターフェイス手段と、
上記受信装置が、上記再生された多重化データを上記インターフェイスを介して受信し、所望のプログラムに対応する映像・オーディオデータを抽出できるか否か判別する判別手段と、
上記再生された多重化データの中から、所望のプログラムに対応する映像・オーディオデータを抽出する抽出手段とを備え、
上記判別手段により上記受信装置が所望のプログラムに対応する映像・オーディオデータを抽出できないと判別されたときには、上記抽出手段により所望のプログラムに対応する映像・オーディオデータを抽出し、該抽出された映像・オーディオデータを上記インターフェイス手段を介して上記受信装置に出力するようにしたことを特徴とする再生装置。
【請求項２】
上記判別手段は、上記受信装置が多重化データトランスポートストリームが復調できるか否かの問い合わせを行なうことにより、上記受信装置が所望のプログラムに対応する映像・オーディオデータを抽出できるか否かを判別するようにした請求項１に記載の再生装置。
【請求項３】
上記多重化データトランスポートストリームが復調できるか否かの問い合わせを再生を開始するときに行なうようにした請求項２に記載の再生装置。
【請求項４】
上記受信装置が多重化データトランスポートストリームが復調できるか否かの情報を記憶媒体に記憶させ、
上記判別手段は、上記記憶媒体から読み出された情報により、上記受信装置が所望のプログラムに対応する映像・オーディオデータを抽出できるか否かを判別するようにした請求項１に記載の再生装置。
【請求項５】
受信装置が装着されたときに、上記受信装置が多重化データトランスポートストリームが復調できるか否かの問い合わせを行い、上記問い合わせにより得られた上記多重化データトランスポートストリームが復調できるか否かの情報を上記記憶媒体に記憶させるようにした請求項４に記載の再生装置。
【請求項６】
多重化データトランスポートストリームが復調できるか否かの情報と共に、機器を識別するためのＩＤ情報を上記記憶媒体に記憶させておき、
上記判別手段は、上記受信装置が装着されたときに、上記ＩＤ情報から装着された機器を特定し、上記記憶媒体から上記ＩＤ情報に対応する機器が多重化データトランスポートストリームが復調できるか否かの情報を読み出し、上記記憶媒体から読み出された情報により、上記受信装置が所望のプログラムに対応する映像・オーディオデータを抽出できるか否かを判別するようにした請求項１に記載の再生装置。
【請求項７】
ディジタル放送の受信装置と映像・オーディオデータをやり取りするためのインターフェイス手段で接続し、記録媒体から再生された映像・オーディオデータを上記受信装置に送る再生方法において、
記録媒体から複数のプログラムに対応する映像・オーディオデータが圧縮されて多重化されたデータを再生する際に、
上記受信装置が、所望のプログラムに対応する映像・オーディオデータを抽出できるか否か判別し、
上記受信装置が所望のプログラムに対応する映像・オーディオデータを抽出できないと判別されたときには、上記所望のプログラムに対応する映像・オーディオデータを抽出し、該抽出された映像・オーディオデータを上記インターフェイス手段を介して上記受信装置に出力するようにしたことを特徴とする再生方法。
【請求項８】
上記受信装置が多重化データトランスポートストリームが復調できるか否かの問い合わせを行なうことにより、上記受信装置が所望のプログラムに対応する映像・オーディオデータを抽出できるか否かを判別するようにした請求項７に記載の再生方法。
【請求項９】
上記多重化データトランスポートストリームが復調できるか否かの問い合わせを再生を開始するときに行なうようにした請求項８に記載の再生方法。
【請求項１０】
上記受信装置が多重化データトランスポートストリームが復調できるか否かの情報を記憶媒体に記憶させ、
上記記憶媒体から読み出された情報により、上記受信装置が所望のプログラムに対応する映像・オーディオデータを抽出できるか否かを判別するようにした請求項７に記載の再生方法。
【請求項１１】
受信装置が装着されたときに、上記受信装置が多重化データトランスポートストリームが復調できるか否かの問い合わせを行い、上記問い合わせにより得られた上記多重化データトランスポートストリームが復調できるか否かの情報を上記記憶媒体に記憶させるようにした請求項１０に記載の再生方法。
【請求項１２】
多重化データトランスポートストリームが復調できるか否かの情報と共に、機器を識別するためのＩＤ情報を上記記憶媒体に記憶させておき、
上記受信装置が装着されたときに、上記ＩＤ情報から装着された機器を特定し、上記記憶媒体から上記ＩＤ情報に対応する機器が多重化データトランスポートストリームが復調できるか否かの情報を読み出し、上記記憶媒体から読み出された情報により、上記受信装置が所望のプログラムに対応する映像・オーディオデータを抽出できるか否かを判別するようにした請求項７に記載の再生方法。
【発明の詳細な説明】
【０００１】
【発明の属する技術分野】
この発明は、例えば、映像データ及びオーディオデータがＭＰＥＧ（Moving Picture Experts Group）２方式のトランスポートストリームで放送される信号を受信し、このトランスポートストリームをディジタルビデオテープ、光ディスクや磁気ディスクなどの記録媒体に記録／再生するようなディジタル衛星放送の受信及び記録／再生システムに用いられる再生装置及び方法に関する。
【０００２】
【従来の技術】
近年、ディジタルビデオ機器やディジタルオーディオ機器間でビデオデータやオーディオデータを高速で転送するためのディジタルインターフェイスとして、ＩＥＥＥ１３９４が普及し始めている。ＩＥＥＥ１３９４は、アイソクロナス（Isochronous ）転送モードと、アシンクロナス（Asynchronous）転送モードとがサポートされている。アイソクロナス転送モードでは送信の遅延時間が保証されており、ビデオデータやオーディオデータのような時間的に連続するデータストリームを高速転送するのに用いて好適である。アシンクロナス転送モードは、相手先のノードに必ずデータを送信することが保証されており、コマンド等のデータを確実に転送するのに用いて好適である。
【０００３】
また、近年、ディジタル衛星放送が普及し始めている。ディジタル衛星放送では、ディジタル映像データ及びオーディオデータが圧縮されてパケット化され、ＭＰＥＧ２方式のトランスポートストリームにより伝送される。伝送パケットのヘッダには、ＰＩＤと呼ばれるパケット識別子が設けられる。そして、複数のプログラムの映像パケット及び音声パケットが同一のストリームに多重化されて送信される。
【０００４】
このようなディジタル衛星放送を受信する際には、テレビジョン受像機にＩＲＤ（Integrated Receiver Decoder ）と呼ばれるディジタル衛星放送の受信用のデコーダが接続される。パラボラアンテナで受信されたディジタル衛星放送の信号はＩＲＤに供給される。ＩＲＤで、ＭＰＥＧ２のトランスポートストリームが復調され、このＭＰＥＧ２のトランスポートストリームから、ＰＩＤにより、所望のプログラムの映像パケット及び音声パケットが抽出され、この映像パケット及び音声パケットからビデオ信号及びオーディオ信号がデコードされる。このビデオ信号及びオーディオ信号がＩＲＤからテレビジョン受像機に供給される。
【０００５】
このようなディジタル衛星放送を受信するためのＩＲＤに、ＩＥＥＥ１３９４のディジタルインターフェイスを設けることが提案されている。ＩＲＤに、ＩＥＥＥ１３９４のディジタルインターフェイスを設けると、ＩＲＤと記録／再生装置等の機器を接続して、ディジタル衛星放送の受信及び記録／再生システムが構築できる。そして、このようなシステムを構築すると、ディジタル衛星放送で送られてきたＭＰＥＧ２のトランスポートストリームをそのまま記録／再生することが可能になる。
【０００６】
すなわち、記録時には、ＩＲＤ側で受信されたＭＰＥＧ２のトランスポートストリームは、ＩＥＥＥ１３９４のディジタルインターフェイスを介して、記録／再生機器に送られる。そして、このＭＰＥＧ２のトランスポートストリームがそのまま記録／再生機器により記録媒体に記録される。そして、再生時には、記録媒体からＭＰＥＧ２のトランスポートストリームが再生され、この再生されたＭＰＥＧ２のトランスポートストリームがＩＥＥＥ１３９４のディジタルインターフェイスを介して、ＩＲＤに送られる。ＩＲＤで、このＭＰＥＧ２のトランスポートストリームがデコードされる。
【０００７】
【発明が解決しようとする課題】
このように、ＩＲＤにＩＥＥＥ１３９４のディジタルインターフェイスを設け、ＩＲＤと記録／再生装置とを接続してディジタル衛星放送の受信及び記録／再生システムを構築すると、ディジタル衛星放送で送られてきたＭＰＥＧ２のトランスポートストリームをそのままディジタルビデオテープ、光ディスクや磁気ディスクなどの記録媒体に記録／再生することが可能になる。
【０００８】
ところで、ディジタル衛星放送では、同一の搬送波周波数に、複数のプログラムのパケットが多重化されて送信されている。したがって、上述のように、ディジタル衛星放送で送られてきたＭＰＥＧ２のトランスポートストリームをテープカセットなどの記録媒体に記録／再生する場合、記録方式としては、所望の１つのプログラムの映像パケット及び音声パケットをＩＲＤ側で抽出してディジタル記録／再生機器に送って記録するシングルプログラム方式と、１つの搬送波周波数で送られてくる複数のプログラムの映像パケット及び音声パケットをＩＲＤからディジタル記録／再生装置に送ってそのまま記録するマルチプログラム方式とが考えられる。
【０００９】
マルチプログラム方式は、複数のプログラムを同時に記録できるという利点があるが、マルチプログラム記録方式を採用すると、ＩＲＤでは、記録／再生装置で再生され、ディジタルインターフェイスを介して受信した複数のプログラムのパケット中から所望のプログラムを選択し、このプログラムの映像パケット及び音声パケットを抽出する処理が必要になり、ＩＲＤの回路が複雑化するという問題がある。従って、廉価なＩＲＤではシングルプログラム方式を採用する可能性が高い。
【００１０】
しかしながら、マルチプログラム方式は複数のプログラムを同時に記録できるという利点があり、ＩＲＤの高級機種には、マルチプログラム方式が採用される可能性が高い。
【００１１】
このように、マルチプログラムをサポートしたＩＲＤが発売されると、マルチプログラム方式で記録した記録媒体と、シングルプログラム方式で記録した記録媒体とが混在することになる。このため、マルチプログラム方式に対応していないＩＲＤとＩＥＥＥ１３９４で接続された記録／再生装置にマルチプログラム方式で記録した記録媒体が装着され、再生される可能性がある。このように、マルチプログラム方式をサポートしてないＩＲＤに、マルチプログラム方式のトランスポートストリームが送られると、正しい再生ができず、ユーザに混乱を与えるおそれがある。
【００１２】
したがって、この発明の目的は、ＩＥＥＥ１３９４を介して接続されたＩＲＤがシングルプログラム方式である場合でも、またはマルチプログラム方式である場合でも、マルチプログラム方式で記録された記録媒体の適切な再生処理が行なえるディジタル放送の再生装置及び方法を提供することにある。
【００１３】
【課題を解決するための手段】
この発明は、記録媒体から映像・オーディオデータを再生する再生装置において、複数のプログラムに対応する映像・オーディオデータが圧縮されて多重化された多重化データを再生する再生手段と、ディジタル放送の受信装置と互いに映像・オーディオデータをやり取りするためのインターフェイス手段と、受信装置が、再生された多重化データをインターフェイスを介して受信し、所望のプログラムに対応する映像・オーディオデータを抽出できるか否か判別する判別手段と、再生された多重化データの中から、所望のプログラムに対応する映像・オーディオデータを抽出する抽出手段とを備え、判別手段により受信装置が所望のプログラムに対応する映像・オーディオデータを抽出できないと判別されたときには、抽出手段により所望のプログラムに対応する映像・オーディオデータを抽出し、該抽出された映像・オーディオデータをインターフェイス手段を介して受信装置に出力するようにしたことを特徴とする再生装置である。
【００１６】
ディジタル放送の記録／再生装置において、複数のプログラムが多重化されたトランスポートストリームを再生する際に、ＩＥＥＥ１３９４を介して接続されたＩＲＤがマルチプログラム方式に対応しているか否かに応じて、適切な再生処理を行う。つまり、ＩＲＤがマルチプログラム方式に対応している場合には、複数のプログラムが多重化されたトランスポートストリームを、そのままＩＥＥＥ１３９４を介してＩＲＤに出力し、ＩＲＤがマルチプログラム方式に対応していない場合で、マルチプログラム方式で記録された記録媒体を再生する場合には、ユーザーに所望のプログラムを選択させ、選択されたプログラムのトランスポートストリームだけをＩＲＤへ伝送するようにした記録／再生装置である。これにより、マルチプログラム方式で記録した記録媒体が記録／再生装置に装着され、再生時にＭＰＥＧ２のトランスポートストリームがマルチプログラム方式に対応していないＩＲＤに出力された場合でも、ユーザに混乱を与えることがなくなる。
【００１７】
【発明の実施の形態】
以下、この発明の実施の形態について図面を参照して説明する。図１は、この発明が適用されたディジタル衛星放送の受信及び記録／再生システムを示すものである。
【００１８】
図１において、１はＩＲＤ、２はディジタルビデオカセット記録／再生装置、３はテレビジョン受像機である。これらＩＲＤ１、ディジタルビデオカセット記録／再生装置２、テレビジョン受像機３により、ディジタル衛星放送の受信及び記録／再生システムが構築される。ＩＲＤ１及びディジタルビデオカセット記録／再生装置２は、ＩＥＥＥ１３９４のディジタルインターフェイスを備えており、ＩＲＤ１とディジタルビデオカセット記録／再生装置２とは、ＩＥＥＥ１３９４のディジタルインターフェイスのケーブル８を介して接続されている。
【００１９】
ＩＲＤ１は、ディジタル衛星放送の受信信号をデコードし、例えばＮＴＳＣ方式のビデオ信号及びオーディオ信号を形成するものである。ＩＲＤ１のアンテナ端子は、ケーブル６を介して、パラボラアンテナ４に取り付けられている低雑音コンバータ５に接続される。衛星からの電波は、例えば、１２ＧＨｚ帯で送信されてくる。この衛星からの電波は、パラボラアンテナ４で受信され、パラボラアンテナ４に取り付けられた低雑音コンバータ５で、例えば、１ＧＨｚ帯の信号に変換される。
【００２０】
低雑音コンバータ５の出力がケーブル６を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
【００２１】
ＩＲＤ１のビデオ出力端子及びオーディオ出力端子は、ケーブル７を介して、テレビジョン受像機３のビデオ入力端子及びオーディオ入力端子に接続される。ＩＲＤ１でデコードされたビデオ信号及びオーディオ信号は、テレビジョン受像機３のビデオ入力端子及びオーディオ入力端子に供給され、テレビジョン受像機３には、所望のプログラムの受信画面が映出されるとともに、その音声が出力される。
【００２２】
ディジタルビデオカセット記録／再生装置２は、同一のテープカセットでディジタル記録とアナログ記録とが行なえる。ＩＲＤ１とディジタルビデオカセット記録／再生装置２とは、ＩＥＥＥ１３９４のディジタルインターフェイスのケーブル８を介して接続される。
【００２３】
また、ディジタルビデオカセット記録／再生装置２のビデオ出力端子及びオーディオ出力端子は、ケーブル９を介して、テレビジョン受像機３のビデオ入力端子及びオーディオ入力端子に接続される。ディジタルビデオカセット記録／再生装置２のアンテナ端子は、ケーブル１０を介して、地上波アンテナ１１に接続される。
【００２４】
このシステムでは、ＩＲＤ１で受信したディジタル衛星放送の受信出力に基づくＭＰＥＧ２のトランスポートストリームを、ディジタルビデオカセット記録／再生装置２で記録／再生させることが可能である。この時の記録方式としては、ＩＲＤの機種によって異なり、シングルプログラム方式とマルチプログラム方式のどちらか一方となる。
【００２５】
シングルプログラム方式のＩＲＤが接続されている場合には、多重化された複数のトランスポートストリームの中から１つのプログラムのトランスポートストリームをＩＲＤで抽出し、抽出されたトランスポートストリームを、ディジタルインターフェイスを介してディジタルビデオカセット記録／再生装置２に伝送して記録する。マルチプログラム方式のＩＲＤが接続されている場合には、多重化された複数のトランスポートストリームをＩＲＤからディジタルビデオカセット記録／再生装置にディジタルインターフェイスを介して伝送し、そのまま記録する。ディジタルビデオカセット記録／再生装置は、ディジタルインターフェイスを介して伝送されてきたトランスポートストリームをそのまま記録するだけであり、マルチプログラム方式のＩＲＤから多重化されたトランスポートストリームが伝送されてくる場合と、シングルプログラム方式のＩＲＤから１つのトランスポートストリームが伝送されてくる場合とでは記録時の処理は何ら変わらない。
【００２６】
また、ディジタルビデオカセット記録／再生装置２は、地上波放送の信号をアナログ処理して、装着されたテープカセットにアナログ記録させることができる。
【００２７】
地上波放送の信号をアナログ処理してテープカセットに記録する場合には、アンテナ１１で地上波放送の信号が受信され、この受信信号がディジタルビデオカセット記録／再生装置２内の地上波チューナ回路に供給される。この地上波チューナ回路で、所望のチャンネルの信号が選択され、受信信号から、アナログビデオ信号とオーディオ信号が復調される。このアナログビデオ信号及びオーディオ信号は、ディジタルビデオカセット記録／再生装置２に装着されたテープカセットにアナログ記録される。
【００２８】
ビデオ信号及びオーディオ信号がアナログ記録されたビデオカセットの再生を行う場合には、このビデオカセットがディジタルビデオカセット記録／再生装置２に装着されて再生される。ディジタルビデオカセット記録／再生装置２で、この再生信号がケーブル９を介してテレビジョン受像機３に送られ、テレビジョン受像機３に、テープカセットから再生されたアナログ信号に基づく受信画面が映出されるとともに、その音声が出力される。同様に、ディジタルビデオカセット記録／再生装置２は、８ミリＶＴＲなどのアナログ機器からのアナログビデオ信号やアナログオーディオ信号を入力し、装着されたテープカセットにアナログ記録することもできる。
【００２９】
また、ディジタルビデオカセット記録／再生装置２は、地上波放送の信号をディジタル処理して、装着されたテープカセットにディジタル記録させることができる。
【００３０】
アナログ地上波放送の信号をディジタル処理してテープカセットに記録する場合には、アンテナ１１で地上波放送の信号が受信され、この受信信号がディジタルビデオカセット記録／再生装置２内の地上波チューナ回路に供給される。この地上波チューナ回路で、所望のチャンネルの信号が選択され、受信信号から、アナログビデオ信号とオーディオ信号が復調される。このアナログビデオ信号及びオーディオ信号はＭＰＥＧ２のフォーマットにしたがって圧縮符号化され、ディジタルビデオカセット記録／再生装置２に装着されたテープカセットにディジタル記録される。
【００３１】
アナログ地上波放送のビデオ信号及びオーディオ信号がディジタル記録されたビデオカセットの再生を行う場合には、このビデオカセットがディジタルビデオカセット記録／再生装置２に装着されて再生される。ディジタルビデオカセット記録／再生装置２で、この再生信号がディジタル出力される場合には、ＩＥＥＥ１３９４インターフェイスを介して、ＩＲＤ１に出力され再生される。また、この再生信号がアナログ出力される場合には、ＭＰＥＧフォーマットにしたがって圧縮復号化され、アナログ出力され、ケーブル９を介してテレビジョン受像機３に送られ、テレビジョン受像機３に、テープカセットから再生されたアナログ信号に基づく受信画面が映出されるとともに、その音声が出力される。同様に、ディジタルビデオカセット記録／再生装置２は、８ミリＶＴＲなどのアナログ機器から入力されたアナログビデオ信号とアナログオーディオ信号をディジタル処理して、装着されたテープカセットにディジタル記録することもできる。
【００３２】
図２は、ＩＲＤ１の構成を示すものである。図１に示したように、例えば１２ＧＨｚ帯の電波で衛星を介して送られてくるディジタル衛星放送の電波は、パラボラアンテナ４で受信され、パラボラアンテナ４に取り付けられた低雑音コンバータ５で、１ＧＨｚ帯の信号に変換される。この低雑音コンバータ５の出力がケーブル６を介してＩＲＤ１のチューナ回路１０１に供給される。
【００３３】
チューナ回路１０１では、制御用ＣＰＵ（Central Processing Unit ）１１１からの制御信号にもとづいて、受信信号の中から所定の搬送波周波数の信号を選択する。選択された搬送波周波数の信号は、復調回路１０２に供給される。復調回路１０２では、例えば、ＱＰＳＫ（Quadrature Phase Shift Keying）復調処理が行なわれる。復調された信号は、エラー訂正処理回路１０３に供給される。エラー訂正処理回路１０３ではリードソロモン復号やビタビ復号といった処理が施される。
【００３４】
エラー訂正回路１０３の出力は、デスクランブラ１０４に供給される。デスクランブラ１０４には、受信されたＥＣＭ（Entitlement Control Message ）データ及びＥＭＭ（Entitlement Management Message）データが入力されると共に、ＩＣカードスロット１１２に装着されているＩＣカード１１３に記憶されているデスクランブル用の鍵データが供給される。デスクランブラ１０４は、この受信されたＥＣＭデータ及びＥＭＭデータと、ＩＣカード１１３の鍵データを用いて、ＭＰＥＧトランスポートストリームのデスクランブルを行なう。デスクランブルされたＭＰＥＧ２のトランスポートストリームは、デマルチプレクサ１０５に送られる。
【００３５】
デマルチプレクサ１０５は、ＣＰＵ１１１からの指令に基づいて、デスクランブラ１０５からのストリームの中から、所望のパケットを分離するものである。伝送パケットには、ヘッダ部にパケット識別子（ＰＩＤ）が設けられている。デマルチプレクサ１０５で、このＰＩＤに基づいて、所望のプログラムの映像パケット及び音声パケットが抽出される。この所望のプログラムの映像パケットは、ＭＰＥＧ２ビデオデコーダ１０６に送られ、音声パケットは、ＭＰＥＧオーディオデコーダ１０８に送られる。
【００３６】
ＭＰＥＧ２ビデオデコーダ１０６は、デマルチプレクサ１０５からの映像信号のパケットを受け取り、ＭＰＥＧ２方式のデコード処理を行なって、ビデオデータを形成する。このビデオデータは、フォーマットコンバータ１０７に供給される。フォーマットコンバータ１０７では、ＭＰＥＧ２ビデオデコーダ１０６から出力されるディジタルビデオ信号を例えばＮＴＳＣ方式のアナログビデオ信号に変換される。
【００３７】
フォーマットコンバータ１０７の出力がアナログビデオ出力端子（図示せず）を介して、テレビジョン受像機３に供給される。
【００３８】
ＭＰＥＧオーディオデコーダ１０８は、デマルチプレクサ１０５からの音声パケットを受け取り、ＭＰＥＧ方式の音声デコード処理を行なって、データ圧縮前のオーディオデータを形成する。デコードされたオーディオデータは、Ｄ／Ａ変換回路１０９でアナログオーディオ信号に変換された後、アナログオーディオ出力端子（図示せず）を介して、テレビジョン受像機３に供給される。
【００３９】
ＩＲＤ１に対する操作指示は、リモートコントローラ１１５によって行われ、リモートコントローラ１１５からのリモコン信号は受光部１１４で受信され、ＣＰＵ１１１に供給される。また、モデム１１７が設けられ、モデム１１７により、課金情報が電話回線を介して放送局又は課金センターへ送られる。
【００４０】
受信信号の搬送波周波数の設定は、視聴者が入力したチャンネル設定信号に基づいて行なわれる。所望のプログラムに設定する時には、ＮＩＴ（Network Information Table ）を参照することにより、チューナ１０１の受信周波数が所定の搬送波周波数に設定される。そして、その搬送波周波数でのチャンネルに関する情報であるＰＡＴ（Program Association Table ）を参照して、所望のチャンネルに関する情報であるＰＭＴ（Program Map Table ）のＰＩＤのパケットが抽出される。このＰＭＴを参照することにより、所望のチャンネルの映像、音声、付加データのパケットのＰＩＤが得られる。
【００４１】
また、ＩＲＤ１には、ＩＥＥＥ１３９４のディジタルインターフェイス１１０が設けられている。デマルチプレクサ１０５とＩＥＥＥ１３９４のインターフェイス１１０との間は、トランスポートストリームを入／出力することができる。シングルプログラム方式に対応したＩＲＤの場合には、デマルチプレクサ１０５で所望のプログラムの映像パケット及び音声パケットが抽出される。そして、この所望のプログラムの映像パケット及び音声パケットからなるＭＰＥＧ２のトランスポートストリームは、デマルチプレクサ１０５から、ＩＥＥＥ１３９４のディジタルインターフェイス１１０を介して、ディジタルビデオカセット記録／再生装置２に向けて送られる。マルチプログラム方式に対応したＩＲＤの場合には、１つの搬送波周波数で送られてくる複数の多重化されたトランスポートストリームをＩＥＥＥ１３９４のディジタルインターフェイス１１０を介して、ディジタルビデオカセット記録／再生装置２に向けて送られる。
【００４２】
また、シングルプログラム方式に対応したＩＲＤで、ディジタルビデオカセット記録／再生装置２で再生されたＭＰＥＧ２のトランスポートストリーム（シングルプログラム）をデコードする場合には、ディジタルビデオカセット記録／再生装置２からのＭＰＥＧ２のトランスポートストリームがＩＥＥＥ１３９４のディジタルインターフェイス１１０を介して入力され、デマルチプレクサ１０５に送られる。デマルチプレクサ１０５で、このＭＰＥＧ２のトランスポートストリームから、映像パケットと音声パケットとが分離される。映像パケットは、ＭＰＥＧ２ビデオデコーダ１０６に送られてデコードされる。音声パケットは、ＭＰＥＧオーディオデコーダ１０８に送られてデコードされる。シングルプログラム方式に対応したＩＲＤで、ディジタルビデオカセット記録／再生装置２で再生されたＭＰＥＧ２のトランスポートストリーム（マルチプログラム）をデコードする場合については、後述する。
【００４３】
また、マルチプログラム方式に対応したＩＲＤで、ディジタルビデオカセット記録／再生装置２で再生されたＭＰＥＧ２のトランスポートストリーム（マルチプログラム）をデコードする場合には、ディジタルビデオカセット記録／再生装置２からのＭＰＥＧ２のトランスポートストリームがＩＥＥＥ１３９４のディジタルインターフェイス１１０を介して入力され、デマルチプレクサ１０５に送られる。デマルチプレクサ１０５で、ＣＰＵ１１１からの制御信号にもとづいて、所望のプログラムの映像パケットと音声パケットとが分離される。映像パケットは、ＭＰＥＧ２ビデオデコーダ１０６に送られてデコードされる。音声パケットは、ＭＰＥＧオーディオデコーダ１０８に送られてデコードされる。
【００４４】
マルチプログラム方式に対応したＩＲＤで、ディジタルビデオカセット記録／再生装置２で再生されたＭＰＥＧ２のトランスポートストリーム（シングルプログラム）をデコードする場合には、ディジタルビデオカセット記録／再生装置２からのＭＰＥＧ２のトランスポートストリームがＩＥＥＥ１３９４のディジタルインターフェイス１１０を介して入力され、デマルチプレクサ１０５に送られる。デマルチプレクサ１０５で、映像パケットと音声パケットとが分離される。映像パケットは、ＭＰＥＧ２ビデオデコーダ１０６に送られてデコードされる。音声パケットは、ＭＰＥＧオーディオデコーダ１０８に送られてデコードされる。
【００４５】
図３は、ディジタルビデオカセット記録／再生装置２の構成を示すものである。このディジタルビデオカセット記録／再生装置２は、前述したように、ディジタル記録／再生とアナログ記録／再生とが行なえる。ディジタル記録／再生を行なうために、ディジタル記録処理回路２１３とディジタル再生処理回路２１８が設けられる。アナログ記録／再生を行なうために、アナログ記録処理回路２０４とアナログ再生処理回路２０８が設けられる。
【００４６】
全体の制御はＣＰＵ２２４により行なわれる。ディジタルビデオカセット記録／再生装置２に対する操作指示は、リモートコントローラ２２７によって行われ、リモートコントローラ２２７からのリモコン信号は受光部２２６で受信され、ＣＰＵ２２４に供給される。ＣＰＵ２２４には不揮発性メモリ２２５が接続されている。
【００４７】
ＩＲＤ１からのトランスポートストリームを記録する場合（シングルプログラム方式およびマルチプログラム方式ともに共通）には、ＩＥＥＥ１３９４のディジタルインターフェイス２２３を介して、ＩＲＤ１からのＭＰＥ２のトランスポートストリームが入力される。このＭＰＥＧ２のトランスポートストリームは、スイッチ回路２１２を介してディジタル記録処理回路２１３に供給される。ディジタル記録処理回路２１３で、このトランスポートストリームのデータに対してエラー訂正符号化処理および記録変調処理が行なわれる。ディジタル記録処理回路２１３の出力がヘッド２１４に供給される。これにより、ディジタルビデオカセット記録／再生装置２に装着されたテープカセットのテープ２０６に、ＩＲＤ１からのトランスポートストリームが記録される。
【００４８】
ＭＰＥＧ２のトランスポートストリーム（シングルプログラム方式）が記録されているテープカセットを再生する場合には、テープ２０６の再生信号がヘッド２１７で再生され、ヘッド２１７の出力がディジタル再生処理回路２１８に供給される。ディジタル再生処理回路２１８で、復調処理およびエラー訂正処理が行なわれる。ディジタル再生処理回路２１８の出力がデマルチプレクサ２１９、スイッチ回路２２０を介してＩＥＥＥ１３９４のディジタルインターフェイス２２３に供給され、再生されたトランスポートストリームがＩＲＤ１に供給される。尚、この場合にはデマルチプレクサ２１９では何の処理も行われない。
【００４９】
ＩＲＤ１のデマルチプレクサ１０５（図２）で、このトランスポートストリームから映像パケットと音声パケットとに分離される。映像パケットは、ＭＰＥＧ２ビデオデコーダ１０６で伸長され、フォーマットコンバータ１０７でＮＴＳＣ方式のビデオ信号に変換され、ビデオ出力端子（図示せず）からテレビジョン受像機３に送られる。音声パケットは、ＭＰＥＧオーディオデコーダ１０８で伸長され、Ｄ／Ａ変換回路１０９でアナログ信号に変換され、オーディオ出力端子（図示せず）からテレビジョン受像機３に送られる。ＭＰＥＧ２のトランスポートストリーム（マルチプログラム方式）が記録されているテープカセットを再生する場合の処理については後述する。
【００５０】
図３において、地上波放送をアナログ記録する場合には、アンテナ１１で受信された信号が地上波チューナ回路２０１に供給される。地上波チューナ回路２０１で、所望の放送の受信信号が選択され、この受信信号から例えばＮＴＳＣ方式のアナログのビデオ信号及びオーディオ信号が復調される。このアナログビデオ信号及びアナログオーディオ信号がスイッチ回路２０２，２０３を介してアナログ記録処理回路２０４に供給される。アナログ記録処理回路２０４で、ビデオ信号及びオーディオ信号の記録処理が行なわれる。すなわち、輝度信号はＦＭ変調され、クロマ信号は低域周波数に変換され、オーディオ信号はＦＭ変調される。これらの信号が多重化され、この信号がヘッド２０５に供給される。ヘッド２０５により、装着されたテープカセットのテープ２０６に、アナログのビデオ信号及びオーディオ信号が記録される。
【００５１】
さらに外部に接続されたアナログ機器（例えば８ミリＶＴＲ）から供給されたアナログビデオ信号及びアナログオーディオ信号をアナログ記録することもできる。アナログ外部入力端子２１５から供給されたアナログビデオ信号およびアナログオーディオ信号はスイッチ回路２０３を介してアナログ記録処理回路２０４に供給される。アナログ記録処理回路２０４で、ビデオ信号及びオーディオ信号の記録処理が行なわれる。その後の処理は上述の地上波放送をアナログ記録する場合と同じである。
【００５２】
アナログ記録されたテープカセットを再生する場合には、テープ２０６の信号がヘッド２０７により再生され、アナログ再生処理回路２０８に供給される。アナログ再生処理回路２０８で、ＮＴＳＣ方式のビデオ信号及びオーディオ信号の再生処理が行なわれる。すなわち、再生信号から、ＦＭ変調輝度信号と、低域変換クロマ信号と、ＦＭ変調オーディオ信号とが抽出される。ＦＭ変調輝度信号に対してＦＭ復調処理が行なわれて輝度信号が復調され、低域変換クロマ信号が３．５８ＭＨｚの搬送波周波数のクロマ信号に戻される。この輝度信号とクロマ信号とからＮＴＳＣ方式のビデオ信号が形成される。また、ＦＭ変調オーディオ信号に対してＦＭ復調処理が行なわれ、オーディオ信号が復調される。このビデオ信号及びオーディオ信号は、アナログ出力端子２１０から出力される。
【００５３】
ディジタルビデオカセット記録／再生装置２では、地上波放送の信号および外部に接続されたアナログ機器から供給されたアナログビデオ信号及びアナログオーディオ信号をディジタル記録することもできる。地上波放送の信号をディジタル記録する場合には、地上波チューナ回路２０１の出力信号がスイッチ回路２０２を介してＡ／Ｄ変換回路２１６に供給され、ディジタルビデオ信号およびディジタルオーディオ信号に変換された後、ＭＰＥＧエンコーダ回路２１１に供給される。ＭＰＥＧエンコーダ回路２１１では、ＭＰＥＧ２のフォーマットに従って、ディジタルビデオ信号およびディジタルオーディオ信号の圧縮符号化処理を行う。圧縮符号化されたディジタルビデオ信号およびディジタルオーディオ信号はスイッチ回路２１２を介してディジタル信号処理回路２１３に供給される。ディジタル信号処理回路２１３では、エラー訂正符号化処理および記録変調処理が行なわれ、ヘッド２１４に供給される。これにより、ディジタルビデオカセット記録／再生装置２に装着されたテープカセットのテープ２０６に、地上波放送の信号がディジタル記録される。
【００５４】
外部に接続されたアナログ機器から供給された信号をディジタル記録する場合には、アナログ外部入力端子２１５から供給されたアナログビデオ信号およびアナログオーディオ信号はＡ／Ｄ変換回路２１６に供給されてディジタルビデオ信号およびディジタルオーディオ信号に変換された後、ＭＰＥＧエンコーダ回路２１１に供給される。その後の記録処理は、上述の地上波放送の信号のディジタル記録処理と同じである。
【００５５】
このようにしてディジタル記録された地上波放送の信号および外部に接続されたアナログ機器から供給された信号の再生について説明する。テープ２０６の再生信号がヘッド２１７で再生され、ヘッド２１７の出力がディジタル再生処理回路２１８に供給される。ディジタル再生処理回路５２で、復調処理およびエラー訂正処理が行なわれる。ディジタル再生処理回路２１８の出力がデマルチプレクサ２１９、スイッチ回路２２０を介してＭＰＥＧデコーダ回路２２１に供給される。ＭＰＥＧデコーダ回路２２１では、圧縮符号化されたディジタルビデオ信号およびディジタルオーディオ信号の圧縮伸張処理が行われる。デコードされたディジタルビデオ信号およびディジタルオーディオ信号は、Ｄ／Ａ変換回路２２２に供給され、アナログビデオ信号およびアナログオーディオ信号に変換され、スイッチ回路２０９を介してアナログ出力端子２１０から出力される。尚、この場合にはデマルチプレクサ２１９では何の処理も行われない。
【００５６】
また、（１）ディジタルインターフェイスでＩＲＤ１から受信したトランスポートストリームを記録し、再生したトランスポートストリームをＭＰＥＧデコーダ２２１でデコードしてアナログ出力端子２１０に出力する、（２）地上波放送の信号および外部に接続されたアナログ機器から供給されたアナログビデオ信号及びアナログオーディオ信号をディジタル記録し、再生した信号をディジタルインターフェイスを介してＩＲＤ１に伝送し、ＩＲＤ１内のＭＰＥＧ２ビデオデコーダ１０６およびＭＰＥＧオーディオデコーダ１０８でデコードする、ことも可能である。
【００５７】
つぎにマルチプログラム方式で記録されたトランスポートストリームの再生時の処理の第１の実施形態について説明する。図４は、このときの処理を示すフローチャートである。図４に示すように、先ず、ユーザがディジタルテープカセットを再生させるようリモコン等からディジタルビデオカセット記録／再生装置２に指示を出す（ステップＳ１）。
【００５８】
ディジタルテープカセットの再生指示を受けたディジタルビデオカセット記録／再生装置２は、ＩＥＥＥ１３９４のディジタルインターフェイスを介して接続されているＩＲＤ１と通信し、ＩＲＤ１がマルチプログラム記録方式に対応しているか否か問い合わせる（ステップＳ２）。ＩＲＤ１は、マルチプログラム記録方式に対応しているか否か調べる（ステップＳ３）。
【００５９】
ステップＳ３の確認の結果、ＩＲＤ１がマルチプログラム記録方式に対応している場合は、複数のプログラムが多重化されたトランスポートストリームを、そのままＩＥＥＥ１３９４のディジタルインターフェイスを介してＩＲＤ１に出力する（ステップＳ４）
また、ステップＳ３の確認の結果、ＩＲＤ１がマルチプログラム記録方式に対応していない場合は、デマルチプレクサ２１９で、複数のプログラムが多重化されたトランスポートストリームからディジタルテープカセットに記録された各プログラムに関する情報（プログラム番号、番組名称、録画日時など）が抽出され、かかる情報がＩＥＥＥ１３９４のディジタルインターフェイスを介してＩＲＤ１に出力され、テレビジョン画面には図７のように記録された各プログラムに関する情報が映し出される（ステップＳ５）。
【００６０】
ユーザはテレビジョン画面のディジタルテープカセットに記録された各プログラムに関する情報を見ながら再生をしたいプログラムの番号を選択し、その選択されたプログラム番号がＩＲＤ１側で判別され、選択されたプログラム番号はＩＥＥＥ１３９４のディジタルインターフェイスを介して、ディジタルビデオカセット記録／再生装置２側に送られる（ステップＳ６）。
【００６１】
ユーザが選択したプログラム番号を受け取ったディジタルビデオカセット記録／再生装置２側では、デマルチプレクサ２１９においてユーザによって選択されたプログラム番号に対応するトランスポートストリームのパケットが抽出され、ＩＥＥＥ１３９４のディジタルインターフェイスを介してＩＲＤ１に出力され、ユーザによって選択されたプログラムが再生される（ステップＳ７）。
【００６２】
なお、上述の実施の形態では、ディジタルテープカセットに記録された各プログラムに関する情報を多重化されたトランスポートストリームからデマルチプレクサ２１９で抽出したが、ディジタルテープカセットに付随されたメモリにかかる情報が記録されている場合には、このメモリから読み出してＩＲＤ１側に出力してもよい。
【００６３】
次に第２の実施の形態を説明する。第１の実施の形態では、ディジタルビデオカセット記録／再生装置２に接続されたＩＲＤ１がマルチプログラム記録方式に対応しているか否か、ディジタルテープカセットを再生する際に判別しているが、ディジタルビデオカセット記録／再生装置２にＩＲＤ１が接続されたときに、予め接続されたＩＲＤ１がマルチプログラム記録方式に対応しているか否かを判別させ、対応の可否をディジタルビデオカセット記録／再生装置２内の不揮発性メモリなどに記憶させてもよい。
【００６４】
すなわち、図５に示すように、まずディジタルビデオカセット記録／再生装置２はＩＲＤ１が接続されているか否か検出し（ステップＳ１０）、接続されている場合には、接続されているＩＲＤ１がマルチプログラム記録方式に対応しているか否かＩＲＤ１に問い合わせる（ステップＳ１１）。問い合わせた後、ディジタルビデオカセット記録／再生装置２はＩＲＤ１がマルチプログラム記録方式に対応しているか否かという情報をそのＩＲＤ１の機器ＩＤとともに、ディジタルビデオカセット記録／再生装置２内の不揮発性メモリ２２５に記憶する（ステップＳ１２）。
【００６５】
次に。ディジタルビデオカセット記録／再生装置２から複数のプログラムが多重化されたトランスポートストリームが記録されたディジタルテープカセット（マルチプログラム方式で記録されたディジタルテープカセット）を再生する際の動作について説明する。図６のように先ず、ユーザがマルチプログラム方式で記録されたディジタルテープカセットを再生させるようリモコン等からディジタルビデオカセット記録／再生装置２に指示を出す（ステップＳ２０）。
【００６６】
ディジタルテープカセットの再生指示を受けたディジタルビデオカセット記録／再生装置２は、不揮発性メモリ２２５に記憶されているＩＲＤ１に関する情報を読み出し（ステップＳ２１）、接続されたＩＲＤ１がマルチプログラム記録方式に対応しているか否か調べる（ステップＳ２２）。
【００６７】
ステップＳ２２の結果、ＩＲＤ１がマルチプログラム記録方式に対応している場合は、複数のプログラムが多重化されたトランスポートストリームを、そのままＩＥＥＥ１３９４のディジタルインターフェイスを介してＩＲＤ１に出力する（ステップＳ２３）
また、ステップＳ２２の結果、ＩＲＤ１がマルチプログラム記録方式に対応していない場合は、デマルチプレクサ２１９で、複数のプログラムが多重化されたトランスポートストリームからディジタルテープカセットに記録された各プログラムに関する情報（プログラム番号、番組名称、録画日時など）が抽出され、かかる情報がＩＥＥＥ１３９４のディジタルインターフェイスを介してＩＲＤ１に出力され、テレビジョン画面には図７のように記録された各プログラムに関する情報が映し出される（ステップＳ２４）。
【００６８】
ユーザはテレビジョン画面のディジタルテープカセットに記録された各プログラムに関する情報を見ながら再生をしたいプログラムの番号を選択し、その選択されたプログラム番号がＩＲＤ１側で判別され、選択されたプログラム番号はＩＥＥＥ１３９４のインターフェイスを介して、ディジタルビデオカセット記録／再生装置２側に送られる（ステップＳ２５）。
【００６９】
ユーザが選択したプログラム番号を受け取ったディジタルビデオカセット記録／再生装置２側では、デマルチプレクサ２１９においてユーザによって選択されたプログラム番号に対応するトランスポートストリームのパケットが抽出され、ＩＥＥＥ１３９４のディジタルインターフェイスを介してＩＲＤ１に出力され、ユーザによって選択されたプログラムが再生される（ステップＳ２６）。
【００７０】
また、第２の実施の形態では、個々のＩＲＤ１に対して、ＩＲＤ１がマルチプログラム記録方式に対応しているか否かという情報とともにＩＲＤ１の機器ＩＤを記憶するので、例えば、複数のＩＲＤ１がディジタルビデオカセット記録／再生装置２に接続されたとしても、各々のＩＲＤ１に対してマルチプログラム記録方式に対応しているか否か判別すること可能であり、それぞれのＩＲＤ１に対して適切な再生処理をすることができる。
【００７１】
次に、上述の第１および第２の実施の形態におけるＩＲＤ１側のＣＰＵ１１３の処理について説明する。つまり、マルチプログラム方式で記録されたトランスポートストリームがディジタルビデオカセット記録／再生装置２によって再生された場合のＩＲＤ１側の処理について説明する。まず、ＩＲＤ１がマルチプログラム方式に対応していない場合には（図４のステップＳ３、Ｓ５および図６のステップＳ２２、Ｓ２４）、図８のフローチャートにあるように、ディジタルテープカセットに記録された各プログラムに関する情報（プログラム番号、番組名称、録画日時など）をディジタルビデオカセット記録／再生装置２からＩＥＥＥ１３９４のディジタルインターフェイスを介して受信し（ステップＳ３０）、テレビジョン画面に図７のようにかかる記録された各プログラムに関する情報が映し出す（ステップＳ３１）。
【００７２】
ユーザはテレビジョン画面のディジタルテープカセットに記録された各プログラムに関する情報を見ながら再生をしたいプログラムの番号を選択し（ステップＳ３２）、その選択されたプログラム番号がＩＲＤ１側で判別され、ディジタルビデオカセット記録／再生装置２側のデマルチプレクサ２１９においてユーザによって選択されたプログラム番号に対応するトランスポートストリームのパケットを抽出するように制御信号がＩＥＥＥ１３９４のディジタルインターフェイスを介してディジタルビデオカセット記録／再生装置２側に送信される（ステップＳ３３）。この制御信号により、ディジタルビデオカセット記録／再生装置２のデマルチプレクサ２１９においてユーザによって選択されたプログラムが抽出され、ＩＥＥＥ１３９４のディジタルインターフェイスを介してＩＲＤ１に送信される。
【００７３】
次に、ＩＲＤ１がマルチプログラム方式に対応している場合には（図４のステップＳ３、Ｓ４および図６のステップＳ２２、Ｓ２３）、ディジタルビデオカセット記録／再生装置２から、複数のプログラムが多重化されたトランスポートストリームをＩＥＥＥ１３９４のディジタルインターフェイスを介して受信するとともに、図９のフローチャートにあるように、ディジタルテープカセットに記録された各プログラムに関する情報（プログラム番号、番組名称、録画日時など）をディジタルビデオカセット記録／再生装置２からＩＥＥＥ１３９４のディジタルインターフェイスを介して受信し（ステップＳ４０）、テレビジョン画面に図７のようにかかる記録された各プログラムに関する情報が映し出す（ステップＳ４１）。
【００７４】
ユーザはテレビジョン画面のディジタルテープカセットに記録された各プログラムに関する情報を見ながら再生をしたいプログラムの番号を選択し（ステップＳ４２）、その選択されたプログラム番号がＩＲＤ１側で判別され、ＩＲＤ１側のデマルチプレクサ１０６においてユーザによって選択されたプログラム番号に対応するトランスポートストリームのパケットが抽出され、ＭＰＥＧビデオデコーダ１０６およびオーディオデコーダ１０８に供給され、ユーザによって選択されたプログラムがテレビジョン画面で再生される（ステップＳ４３、４４）。
【００７５】
また、本実施例においては、ＩＲＤ１がマルチプログラム記録方式に対応していない場合に、ディジタルテープカセットに記録された複数のプログラムが多重化されたトランスポートストリームから各プログラムに関する情報（プログラム番号、番組名称、録画日時など）を抽出し、テレビジョン画面に表示したが、これらの情報を、例えばディジタルビデオカセット記録／再生装置２の液晶パネルに表示してもよい。
【００７６】
また、本実施例においては、ＩＲＤ１がマルチプログラム記録方式に対応していない場合に、ディジタルテープカセットに記録された複数のプログラムが多重化されたトランスポートストリームから各プログラムに関する情報（プログラム番号、番組名称、録画日時など）を抽出し、テレビジョン画面に表示したが、これらの情報をその情報が記録されたディジタルテープカセットのＩＤとともにディジタルビデオカセット記録／再生装置２内の不揮発性メモリ２２５に記憶させ、ＩＲＤ１がマルチプログラム記録方式に対応していない場合には、不揮発性メモリ２２５から再生されたディジタルテープカセットのＩＤに対応するプログラムに関する情報を読み出し、ＩＲＤ１側に出力しテレビジョン画面に表示させてもよい。
【００７７】
なお、本実施例においては、ＩＲＤ１からのＭＰＥＧ２のトランスポートストリームを、ディジタルビデオカセットに対して記録／再生させる場合について述べたが、ＩＲＤ１からのＭＰＥＧ２のトランスポートストリームをＤＶＤ、ＣＤ−Ｒやハードディスクなどの記録媒体に対して記録／再生させるようにしてもよい。
【００７８】
【発明の効果】
この発明によれば、ディジタル放送の記録／再生装置において、複数のプログラムが多重化されたトランスポートストリームが記録された記録媒体を再生させる際に、ＩＥＥＥ１３９４のディジタルインターフェイスを介して接続されたＩＲＤがマルチプログラム記録方式に対応しているか否かに応じて、適切な再生処理を行うことができる。これによりマルチプログラム記録方式で記録された記録媒体が記録／再生装置に装着され、再生時に複数のプログラムが多重化されたトランスポートストリームがマルチプログラム記録方式に対応していないＩＲＤまたは対応しているＩＲＤに出力されたれた場合でも、ユーザに混乱を与えることがなくなる。また、複数のＩＲＤが記録／再生装置に接続されても、各々のＩＲＤがマルチプログラム記録方式に対応しているか否かを判別するため、各々のＩＲＤに対して適切な再生処理を行うことができる。
【図面の簡単な説明】
【図１】この発明が適用されたディジタル衛星放送受信及び記録／再生システムの一例のブロック図である。
【図２】この発明が適用されたディジタル衛星放送受信及び記録／再生システムにおけるＩＲＤの一例のブロック図である。
【図３】この発明が適用されたディジタル衛星放送受信及び記録／再生システムにおけるディジタルビデオカセット記録／再生装置の一例のブロック図である。
【図４】マルチプログラム記録方式のトランスポートストリームが記録された記録媒体を再生させる場合の処理の一例の説明に用いるフローチャートである。
【図５】記録／再生装置にＩＲＤが接続された場合の設定時の処理の例の説明に用いるフローチャートである。
【図６】マルチプログラム記録方式のトランスポートストリームが記録された記録媒体を再生させる場合の処理の他の例の説明に用いるフローチャートである。
【図７】ディジタルテープカセットに記録された各プログラムに関する情報をテレビジョン画面に映し出したときの画面表示例である。
【図８】マルチプログラム記録方式のトランスポートストリームが記録された記録媒体を再生させる場合のシングルプログラム対応ＩＲＤのＣＰＵの処理の説明に用いるフローチャートである。
【図９】マルチプログラム記録方式のトランスポートストリームが記録された記録媒体を再生させる場合のマルチプログラム対応ＩＲＤのＣＰＵの処理の説明に用いるフローチャートである。
【符号の説明】
１・・・ＩＲＤ，２・・・ディジタルビデオカセット記録／再生装置，３・・・テレビジョン受像機
【図１】
0004192363.tif 000002
【図２】
0004192363.tif 000003
【図３】
0004192363.tif 000004
【図４】
0004192363.tif 000005
【図５】
0004192363.tif 000006
【図６】
0004192363.tif 000007
【図７】
0004192363.tif 000008
【図８】
0004192363.tif 000009
【図９】
0004192363.tif 000010